(57)【特許請求の範囲】
【請求項１】
穀物ヘッダーとフィーダハウスと刈刃を有する刈取部と、扱胴を有する脱穀部と、走行部及びエンジンを設ける走行機体を備え、前記刈取部から前記脱穀部に穀稈を供給するコンバインにおいて、
前記脱穀部後方に配置された前記エンジンの側方に、前記脱穀部に選別風を送風する送風ファンが設置されており、前記エンジンに向けて前記送風ファンの吸気口が開口されており、
前記送風ファンを覆うファンケースと、前記ファンケース及び前記脱穀部それぞれと連通する送風ファンダクトとが設けられており、
前記送風ファンダクトの排風口が前記扱胴一端側下方で前記脱穀部と連結する一方、前記送風ファンダクトの吸込口が前記ファンケース下方の開口部と連通し、
前記扱胴が、横置き姿勢となるように前記走行機体の移動方向に対して直交する向きで前記走行機体の前部に搭載され、
前記送風ファンダクトの排風口に複数の風向ガイド板体が設置されており、
前記送風ファンダクト内において、前記走行機体の移動方向に沿って流れる選別風が、前記風向ガイド板体によって前記走行機体の移動方向に対して直交する向きに屈曲し、前記脱穀部に流入することを特徴とするコンバイン。
【請求項２】
前記脱穀部は、前記扱胴下方に穀粒選別機構を備えると共に、前記穀粒選別機構下方に穀粒搬送機構を備えており、
前記穀粒搬送機構の移送下手側から上手側に向けて前記送風ファンの選別風を流すことを特徴とする請求項１に記載のコンバイン。
【発明の詳細な説明】
【技術分野】
【０００１】
本願発明は、圃場の未刈り穀稈を刈取る刈取部と、刈取り穀稈の穀粒を脱粒する脱穀部を搭載したコンバインに関するものである。
【背景技術】
【０００２】
従来、穀物ヘッダーとフィーダハウスと刈刃を有する刈取部と、扱胴を有する脱穀部と、走行部及びエンジンを設ける走行機体を備え、圃場の未刈り穀稈を連続的に刈取って脱穀する技術がある（特許文献１〜３参照）。また、エンジンの動力が伝達されて駆動する唐箕ファンを有し、揺動選別装置に選別風を送風する技術がある（特許文献４〜５参照）。
【先行技術文献】
【特許文献】
【０００３】
【特許文献１】中国実用新案第２０１３３６８２２号明細書
【特許文献２】中国実用新案第２０３８７２６１２号明細書
【特許文献３】中国実用新案第２０１７２６６７５号明細書
【特許文献４】特許第３０４４１５７号公報
【特許文献５】特開２００８−００００１４号公報
【発明の概要】
【発明が解決しようとする課題】
【０００４】
小さい面積の圃場における収穫作業では、穀稈の刈取幅を確保しながら機体全体をコンパクトに構成可能な軽量構造のコンバインが望まれている。従来技術では、走行機体の前後向きに扱胴を配置する構造に比べ、走行機体の左右向きに扱胴を配置した場合、脱穀部の前後幅を小さくできるが、走行機体の平坦な上面側にエンジンまたは脱穀部などが並設され、コンバイン各部の駆動構造が複雑に構成され、コンバイン全体の小型化を簡単に考慮できない等の構造上の問題がある。特に、脱穀部後方に運転部を備えた構成としているため、脱穀部の長尺化により、前方の圃場状態を確認しづらく、刈り取り作業の作業効率を低下させているという問題が生じている。そして、脱穀部の選別機構に風選別機能を具備させたものにおいて、選別風を生成するファンの設置位置によっては、走行機体上の各部の設置位置が制限され、機体の小型化の妨げとなるという問題がある。
【０００５】
また、走行機体の前部に横置き姿勢の扱胴を左右向きに搭載し、脱穀部の一側端部にフィーダハウスを配置する構造では、フィーダハウスにおいて穀稈が前方から後方に移動する一方、扱胴が内設される扱室が左右方向に長尺に形成され、扱室内部において穀稈が左右方向に移動するから、フィーダハウス出口または扱室入口で刈取穀稈が停滞しやすく、例えば刈取穀稈の処理量が増大した場合などにおいて、フィーダハウス出口または扱室入口などに刈取穀稈が詰まりやすい等の構造上の問題がある。さらに、刈取穀稈が投入される扱室入口から離れた排塵口側から機外に、扱胴にて脱粒された穀粒を搬出する構造では、扱室入口側で脱粒される多量の穀粒を離れた排塵口側に移動させる必要があり、脱粒された穀粒が脱穀部内部に滞留する時間を簡単に短縮できないから、機外に取出す穀粒に混在する藁屑量などを容易に低減できない等の問題が生じやすい。
【０００６】
そこで、本願発明は、これらの現状を検討して改善を施した普通型コンバインを提供しようとするものである。
【課題を解決するための手段】
【０００７】
前記目的を達成するため、本願発明のコンバインは、穀物ヘッダーとフィーダハウスと刈刃を有する刈取部と、扱胴を有する脱穀部と、走行部及びエンジンを設ける走行機体を備え、前記刈取部から前記脱穀部に穀稈を供給するコンバインにおいて、前記脱穀部後方に配置された前記エンジンの側方に、前記脱穀部に選別風を送風する送風ファンが設置されており、前記エンジンに向けて前記送風ファンの吸気口が開口されており、前記送風ファンを覆うファンケースと、前記ファンケース及び前記脱穀部それぞれと連通する送風ファンダクトとが設けられており、前記送風ファンダクトの排風口が前記扱胴一端側下方で前記脱穀部と連結する一方、前記送風ファンダクトの吸込口が前記ファンケース下方の開口部と連通し、前記扱胴が、横置き姿勢となるように前記走行機体の移動方向に対して直交する向きで前記走行機体の前部に搭載され、前記送風ファンダクトの排風口に複数の風向ガイド板体が設置されており、前記送風ファンダクト内において、前記走行機体の移動方向に沿って流れる選別風が、前記風向ガイド板体によって前記走行機体の移動方向に対して直交する向きに屈曲し、前記脱穀部に流入するものである。
【０００８】
上記コンバインにおいて、前記脱穀部は、前記扱胴下方に穀粒選別機構を備えると共に、前記穀粒選別機構下方に穀粒搬送機構を備えており、前記穀粒搬送機構の移送下手側から上手側に向けて前記送風ファンの選別風を流すものとしてもよい。
【発明の効果】
【００１１】
本願発明によれば、エンジンに近接させて送風ファンをコンパクトに設置できるとともに、エンジンの暖気を送風ファンの選別風として利用できる。脱穀部の排塵口側に向けて藁屑または粉塵を吹き飛ばしながら、選別機構下方に漏下する穀粒を効率よく搬出できる。すなわち、選別風を効率よく脱穀部内に流すことができるため、風選別効率を高めることができ、脱穀部における脱穀効率を向上できるだけでなく、脱穀部の長尺化を抑制できる。
【００１２】
本願発明によれば、送風ファンやファンダクトを機外側部にコンパクトに組付けることができ、送風ファンやファンダクトのメンテナンス性を向上できる。また、圃場の未刈り穀稈が、送風ファンの駆動機構に巻き付くなどの不具合の発生を低減でき、圃場の未刈り穀稈に脱穀部側方の駆動機構が干渉して損傷することを防止できる。さらに、エンジンに近接させてファンをコンパクトに設置できるとともに、エンジンの暖気をファンの選別風として利用できる。
【００１３】
本願発明によれば、ファンダクト内の風向ガイド板体によって、排風口における風量分布が均一化されて、脱穀部に流れ込む。選別機構内における選別風流れのムラが低減されるため、風選別作用による選別効果を向上できる。
【図面の簡単な説明】
【００１４】
【図１】本発明の第１実施形態を示す普通型コンバインの左側面図である。
【図２】同コンバインの平面図である。
【図３】同コンバインの右側面図である。
【図４】図１の拡大説明図である。
【図５】図２の拡大説明図である。
【図６】図３の拡大説明図である。
【図７】左側後方から視た走行機体の斜視図である。
【図８】右側前方から視た走行機体の斜視図である。
【図９】走行機体の左側説明図である。
【図１０】走行機体の右側説明図である。
【図１１】走行機体の平面説明図である。
【図１２】普通型コンバインの駆動系統図である。
【図１３】左側後方から視た走行機体の斜視図である。
【図１４】図１３の拡大説明図である。
【図１５】左側後方から視た走行機体の斜視図である。
【図１６】エンジンの駆動伝達部を示す右側説明図である。
【図１７】普通型コンバインの正面図である。
【図１８】図１７の拡大説明図である。
【図１９】刈取部と脱穀部の断面平面図である。
【図２０】右側前方から視た脱穀部周辺の斜視図である。
【図２１】脱穀部の断面正面図である。
【図２２】脱穀部の断面右側面図である。
【図２３】選別風路の構成を示す一部断面平面図である。
【図２４】図２３の拡大説明図である。
【図２５】選別風路の構成を示す一部断面斜視図である。
【図２６】運転座席部の着脱説明図である。
【図２７】運転座席部を取り付けた右側説明図である。
【発明を実施するための形態】
【００１５】
以下に、本願発明を具体化した実施形態を、普通型コンバインに適用した図面（図１〜図２７）に基づいて説明する。まず、図１〜図６を参照しながら、普通型コンバインの概略構造について説明する。なお、以下の説明では、走行機体１の前進方向に向かって左側を単に左側と称し、同じく前進方向に向かって右側を単に右側と称する。
【００１６】
図１〜図６に示す如く、実施形態における普通型コンバインは、走行部としてのゴムクローラ製の左右一対の履帯２にて支持された走行機体１を備える。走行機体１の前部には、稲（または麦）等の未刈り穀稈を刈取りながら取込む刈取部３が単動式の昇降用油圧シリンダ４にて昇降調節可能に装着されている。
【００１７】
走行機体１の前部上面には、刈取部３から供給された刈取穀稈を脱穀処理するための脱穀部９を搭載する。脱穀部９の内部には、後述する穀稈脱粒ロータとしての扱胴２１と、脱穀物の選別を行う穀粒選別機構１０を配置する。走行機体１の後部右側には、オペレータが歩行移動しながら操縦する運転操作部５を搭載する。コンバイン各部の動力源としてのエンジン７を、走行機体１の中央部に配置する。走行機体１の後部左側（運転操作部５の左側方）には、脱穀部９から穀粒を取出す籾受部６を配置する。籾受部６に向けて脱穀部９内の穀粒を穀粒排出コンベヤ（穀粒排出装置）８にて搬出するように構成している。
【００１８】
刈取部３は、脱穀部９前部の扱口供給部に連通したフィーダハウス１１と、フィーダハウス１１の前端に連設された横長バケット状の穀物ヘッダー１２を備えている。穀物ヘッダー１２内に掻込みオーガ１３（プラットホームオーガ）を回転可能に軸支する。掻込みオーガ１３の前部上方にタインバー付き掻込みリール１４を配置する。穀物ヘッダー１２の前部にバリカン状刈刃１５を配置する。穀物ヘッダー１２前部の左右両側に左右の分草体１６を突設する。また、フィーダハウス１１に供給コンベヤ１７を内設する。なお、フィーダハウス１１の下面部と走行機体１の前端部とが昇降用油圧シリンダ４を介して連結され、後述する刈取入力軸１８（フィーダハウスコンベヤ軸）を昇降支点として、刈取部３が昇降用油圧シリンダ４にて昇降動する。
【００１９】
上記の構成により、左右の分草体１６間の未刈り穀稈の穂先側が掻込みリール１４にて掻込まれ、未刈り穀稈が刈刃１５にて刈取られ、掻込みオーガ１３の回転駆動によって、穀物ヘッダー１２の左右幅の中央部寄りのフィーダハウス１１入口付近に刈取穀稈が集められる。穀物ヘッダー１２の刈取穀稈の全量は、フィーダハウス１１内の供給コンベヤ１７によって搬送され、脱穀部９左側部に設けられた扱口供給板９ａから扱口９ｂ内部に投入されるように構成している。なお、図１の仮想線に示す如く、穂先側が刈取られた後の穀稈の稈元を切断する稈元切断刃１９を備え、走行機体１前部に稈元切断刃１９を着脱可能に取付け、穀物ヘッダー１２の後方に稈元切断刃１９を昇降可能に配置している。
【００２０】
また、図１７〜図１９に示す如く、穀物ヘッダー１２の左右幅Ｗ２が、左右の履帯２による履帯幅Ｗ３よりも広い。すなわち、穀物ヘッダー１２の両端部が、左右の履帯２それぞれの外側に張り出すことで、穀物ヘッダー１２と並設された脱穀部９の左右幅Ｗ１を充分に確保でき、脱穀部９における脱穀精度及び選別精度を向上させ、収量損失を低減できる。また、穀物ヘッダー１２の左側端部が脱穀部９の左側（フィーダハウス１１側）端部よりも外側に張り出すことで、穀物ヘッダー１２の刈刃１５による刈り幅を大きく形成できるものでありながら、フィーダハウス１１を介して穀物ヘッダー１２を安定支持できる。
【００２１】
穀物ヘッダー１２の両端部が、左右の履帯２それぞれの外側に張り出すとともに、左右方向に穀物ヘッダー１２がオフセット配置されている。すなわち、履帯２に対する穀物ヘッダー１２の左側出代幅Ｗ２Ｌが、履帯２に対する穀物ヘッダー１２の右側出代幅Ｗ２Ｒより大きい。そして、フィーダハウス１１を左履帯２前方に配置することで、穀物ヘッダー１２の左右幅の中央部寄りにフィーダハウス１１入口を連結させる。したがって、穀物ヘッダー１２の刈刃１５による刈り幅Ｗ２を履帯幅Ｗ３に比べて十分に大きく形成しつつ、フィーダハウス１１を介して穀物ヘッダー１２を安定支持できる。このとき、フィーダハウス１１は、穀物ヘッダー１２の中央よりも左側に配置される。また、フィーダハウス１１出口と連結させる脱穀部９の左右幅Ｗ１が、履帯幅Ｗ３よりも若干狭い程度となっており、脱穀部９の左右幅Ｗ１を充分に確保できる。
【００２２】
また、図４〜図６に示す如く、脱穀部９の扱室２２内に扱胴２１を回転可能に設ける。走行機体１の左右方向に延長させた扱胴軸２０に扱胴２１を軸支する。扱胴２１の下方側には、穀粒を漏下させる受網２４を張設する。加えて、供給コンベヤ１７の穀稈送り終端側に連通させる扱口供給板９ａが、扱室２２の左側下部に形成される一方、扱室２２の右側下部に排塵口２３が形成されている。即ち、走行機体１の前部に横置き姿勢の扱胴２１を左右向きに搭載すると共に、脱穀部９の左側端部（一側端部）にフィーダハウス１１を配置して、前後方向に長尺なフィーダハウス１１と左右横置き姿勢の脱穀部９における刈取穀稈の移動方向を直交方向に変更するように構成している。
【００２３】
なお、図１７〜図２２に示す如く、扱胴２１は、同一円周上に配置する４本の四角パイプ製の胴フレーム２１ａと、胴フレーム２１ａの外周面に等間隔に立設させる多数本の丸棒状の扱歯２１ｂと、排塵口２３に対向する胴フレーム２１ａ右側端部の外周面に立設させる排塵羽根板体２１ｃを有する。扱室２２右側部を覆う脱穀右端面カバー３１６が、その下端を右側方に屈曲させた排塵ガイド部２３ｂを備えており、排塵ガイド部２３ｂ下側に排塵口２３を形成する。
【００２４】
排塵ガイド部２３ｂは、前方に向かって、その屈曲開始位置が高くなるとともに右側に張り出した形状を有している。脱穀後の藁屑が扱胴２１右側に搬送されると、排塵羽根板体２１ｃの回転により排塵口２３に向かって誘導される。このとき、排塵ガイド部２３ｂが上述の形状を有することで、排塵羽根板体２１ｃの回転方向に合わせて、排塵口２３の前方を大きく開口できるため、排塵口２３から藁屑が円滑に排出されるため、扱室２１内での藁屑の滞留を抑制できる。
【００２５】
上記の構成により、供給コンベヤ１７によって扱口供給板９ａから投入された刈取穀稈は、扱胴２１の回転によって走行機体１の左側から右側に向けて搬送されながら、扱胴２１と受網２４との間などにて混練されて脱穀される。受網２４の網目よりも小さい穀粒等の脱穀物は受網２４から漏下する。受網２４から漏下しない藁屑等は、扱胴２１の搬送作用によって、扱室２２右側下部の排塵口２３から右側履帯２の機外側方の圃場に排出される。
【００２６】
さらに、図１７〜図２２に示す如く、扱胴２１の下方に配置された穀粒選別機構１０として、比重選別用の揺動選別盤２６を備える。揺動選別盤２６は、扱口供給板９ａの下方に配置させる流穀平板体２７と、受網２４の下方に配置させる穀粒漏下用の多孔板体２８と、多孔板体２８右側端部の下方に配置するグレンシーブ２９等にて構成する。また、揺動ガイド体（図示省略）にて上下左右に移動可能な揺動選別盤２６の右側端部を支持するクランク軸型の揺動駆動軸３１を備え、揺動駆動軸３１にて揺動選別盤２６を上下左右に往復移動させるように構成している。揺動選別盤２６右側端部に設けた排塵流下板体２３ａ上面側に排塵口２３を形成し、排塵流下板体２３ａ上面を介して、扱室２２右側開口部の排塵口２３または揺動選別盤２６の右側端部の藁屑が右側履帯２機外側方の圃場面に排出されるように構成している。
【００２７】
図１７〜図２２に示す如く、脱穀部９の一側端部（右側端部）に排塵口２３が設けられるとともに、脱穀部９の他側端部（左側端部）にフィーダハウス１１が配置されている。排塵口２３が、右側履帯２よりも外側（右側）に藁屑を排出するように、履帯２外側（右側）に向けて斜め下方に開口している。排塵口２３は、脱穀右端面カバー３１６下端を右側方に屈曲させた排塵ガイド部２３ｂと、揺動選別盤２６右側端部より右下に傾斜した排塵流下板体２３ａとの間に設けられている。すなわち、排塵口２３において、扱室２２右側開口部の藁屑が排塵ガイド部２３ｂに沿って右側下方に向けて機外に排出され、揺動選別盤２６の右側端部の藁屑が排塵流下板体２３ａに沿って右側下方に向けて機外に排出される。これにより、脱穀部９内の藁屑が右側履帯２機外側方の圃場面に排出されることとなる。
【００２８】
排塵口２３を斜め下方に開口することで、藁屑が右側履帯２機外側方であって既刈り側となる圃場面に排出されるため、排出された藁屑が未刈り穀稈に被ることがない。また、脱穀部９を右側履帯２よりも外側を張り出させる必要がなく、オペレータは、脱穀部９前方に配置された刈取部３の右端位置を把握できる。従って、オペレータは、未刈り穀稈の位置を正確に把握しながら、走行機体１を走行させることができるため、刈り取り作業の効率化を図れる。また、排塵口２３は、前方にむかって開口面積を広げる構成とすることで、脱穀部９後方への藁屑の排出を低減できる。これにより、脱穀部９後方への塵埃の舞込みを防止することができ、脱穀部９後方で運転操作するオペレータの不快感を低減できる。また、脱穀部９後方に配置された各駆動機構への塵埃の堆積も低減できるため、機械の故障頻度を抑制できるだけでなく、メンテナンス回数についても低減できる。
【００２９】
排塵口２３の上方に、扱胴２１にエンジン７からの動力を伝達する扱胴駆動部（脱穀駆動チェン７５など）を配置する一方、排塵口２３の下方に、穀粒選別機構１０にエンジン７からの動力を伝達する選別機構駆動部（送出駆動チェン７８及び揺動入力チェン１３６など）を配置している。脱穀駆動チェン７５などで構成される扱胴駆動部は、脱穀右端面カバー３１６右側に設置された扱胴駆動カバー体１９１に内設され、排塵ガイド部２３ｂ上方で前高後低姿勢となるように設置される。また、送出駆動チェン７８及び揺動入力チェン１３６などで構成される選別機構駆動部は、扱胴駆動カバー体１９１左側に設置された選別駆動カバー体１９２に内設され、穀粒選別機構１０及び穀粒取出コンベヤ３６右側であって排塵流下板体２３ａ下側で前低後高姿勢となるように設置される。
【００３０】
脱穀部９後方に配置されたカウンタ軸７２を入力側として、脱穀駆動チェン７５及び送出駆動チェン７８それぞれの一端がカウンタ軸７２に連結している。そして、脱穀駆動チェン７５の他端が、カウンタ軸７２に対して前方上側に配置される扱胴軸２０に連結する一方、送出駆動チェン７８の他端が、カウンタ軸７２に対して前方下側に配置される穀粒取出コンベヤ軸３６ａに連結している。また、穀粒取出コンベヤ軸３６ａを入力側として、揺動入力チェン１３６の一端が穀粒取出コンベヤ軸３６ａに連結し、揺動入力チェン１３６の他端が、カウンタ軸７２下方であって穀粒選別機構１０後方に配置された揺動入力軸１３７に連結している。
【００３１】
そして、扱胴駆動部が排塵口２３上方の排塵ガイド部２３ｂで覆われる一方、選別機構駆動部が排塵口２３下方の排塵流下板体２３ａで覆われる。したがって、扱胴駆動部及び選別機構駆動部へ侵入する塵埃量を抑制し、機械の故障頻度を抑制できるだけでなく、メンテナンス回数についても低減できる。また、扱胴駆動部及び選別機構駆動部を上下に振り分けて構成することで、排塵口２３における藁屑の排出を妨げることなく、エンジン９からの動力を効率的に扱胴２１及び穀粒選別機構１０に伝達できる。
【００３２】
また、図４、図５、図１３、図１７〜図２５などに示す如く、穀粒選別機構１０として、揺動選別盤２６に選別風を供給する送風ファン３４及び送風ファンダクト３５と、揺動選別盤２６の下方に横架させる穀粒取出コンベヤ３６を備える。揺動選別盤２６の左側端部の下面側に送風ファンダクト３５の排風口３５ａを開口させ、揺動選別盤２６の左側から右側方向に送風ファン３４の選別風を供給する。排風口３５ａに対向させて上手側風向ガイド板体３５ｂと下手側風向ガイド板体３５ｃを備える。
【００３３】
穀物ヘッダー１２の両端部が、左右の履帯２それぞれの外側に張り出しており、左右方向に穀物ヘッダー１２がオフセット配置されている。脱穀部９内の選別風を生成させる送風ファン３４が、穀物ヘッダー１２の出代の内側であって脱穀部９における穀粒選別機構１０の外側となる位置に配置されている。穀物ヘッダー１２の刈り幅Ｗ２内に送風ファン３４を配置することができるため、圃場の藁屑または粉塵などが送風ファン３４に吸引されるのを低減でき、送風ファン３４風路のメンテナンス作業などを簡略化できる。したがって、選別風を効率よく脱穀部９内に流すことができるため、風選別効率を高めることができ、脱穀部９における脱穀効率を向上できるだけでなく、脱穀部９の長尺化を抑制できる。
【００３４】
脱穀部９から機外に穀粒を排出する穀粒排出コンベヤ（穀粒排出装置）８が、履帯２に対する穀物ヘッダー１２の出代の大きい側（左側）に配置されている。そして、送風ファン３４が、エンジン７と穀粒排出コンベヤ８との間に配置されている。送風ファン３４と穀粒排出コンベヤ８を機外側部（左側）にコンパクトに組付けることができ、送風ファン３４または穀粒排出コンベヤ８のメンテナンス性を向上できる。また、圃場の未刈り穀稈が、穀粒排出コンベヤ８や刈取部３の駆動機構に巻き付くなどの不具合の発生を低減でき、圃場の未刈り穀稈に脱穀部９側方の駆動機構が干渉して損傷することを防止できる。さらに、エンジン７に近接させて送風ファン３４をコンパクトに設置できるとともに、エンジン７の暖気を送風ファン３４の選別風として利用できる。
【００３５】
履帯２に対する穀物ヘッダー１２の出代の小さい側（右側）に、脱穀部９の排塵口２３が設けられ、脱穀部９前面が排塵口２３と反対側でフィーダハウス１１と連結して、穀物ヘッダー１２に対してフィーダハウス１１が左右方向にオフセット配置されている。送風ファン３４による選別風を流す送風ファンダクト３５と、ファン駆動部（ファン駆動チェン８４など）とが、正面視で脱穀部９と穀粒排出コンベヤ８との間となる位置に上下に振り分けて設けられている。送風ファン３４が、脱穀部９に選別風を送る圧風式のファンである。脱穀部９左側及びファンケース部３４ａ左側に固定されたファン駆動カバー体１９５が、ファン駆動チェン８４を内設している。
【００３６】
エンジン７に近接させて送風ファン３４をコンパクトに設置できるとともに、エンジン７の暖気を送風ファン３４の選別風として利用できる。排塵口２３側に向けて藁屑または粉塵を吹き飛ばしながら、受網２４下方に漏下する穀粒を効率よく搬出できる。また、ファン駆動チェン８４などによるファン駆動部と送風ファンダクト３５とが、穀粒排出コンベヤ８と共に走行機体１左側でコンパクトに設置できるものでありながら、機体左側方から各部品にアクセス可能となり、メンテナンス性を向上できる。
【００３７】
流穀平板体２７の下方に上手側風向ガイド板体３５ｂを配置させ、上手側風向ガイド板体３５ｂにて排風口３５ａからの選別風を流穀平板体２７の下面側全域に均一分散させると共に、穀粒漏下用の多孔板体２８の下方に下手側風向ガイド板体３５ｃを配置させ、下手側風向ガイド板体３５ｃの案内にて多孔板体２８の下面側から上面方向に向けて排風口３５ａからの選別風を移動させるものであり、扱胴２１にて脱穀されて受網２４から漏下した脱穀物は、揺動選別盤２６の比重選別作用と送風ファン３４の風選別作用により、重い穀粒と、軽い藁屑等に選別されるように構成している。
【００３８】
複数のダクト内風向ガイド板体３５ｄが、送風ファンダクト３５の排風口３５ａに向かって併設されている。ダクト内風向ガイド板体３５ｄは、送風ファンダクト３５の長手方向に沿って底面から立設されており、平面視でＬ字状に屈曲させた形状を備える。送風ファンダクト３５内において、走行機体１の移動方向に沿って流れる選別風が、ダクト内風向ガイド板体３５ｄによって走行機体１の移動方向に対して直交する向きに屈曲して、脱穀部９に流入する。
【００３９】
ダクト内風向ガイド板体３５ｄは、排風口３５ａにおいて後方に位置するものほど、その高さが低くなるとともに後方に向かって延びるように構成されている。そのため、排風口３５ａからの選別風が、ダクト内風向ガイド板体３５ｄによって、排風口３５ａにおける風量分布が均一化されて、流穀平板体２７下方に流れ込む。排風口３５ａにおいて前後に並設されたダクト内風向ガイド板体３５ｄの間に、複数の上手側風向ガイド板体３５ｂが流穀平板体２７下方に前後方向に並設されている。上手側風向ガイド板体３５ｂは、選別風流れに沿って前方から後方に斜行させて、左右方向に沿って延設されている。したがって、流穀平板体２７下方に流れ込んだ選別風が、上手側風向ガイド板体３５ｂによって、風量分布が更に均一化されて、受網２４の下方に向けて誘導されるため、揺動選別盤２６内における選別風流れのムラが低減されるため、風選別作用による選別効果を向上できる。
【００４０】
一方、図４、図５、図１３、図１７〜図２５などに示す如く、脱穀部９の左側部において、脱穀部９と籾受部６の間に前低後高姿勢に穀粒排出コンベヤ８を延設させる。穀粒取出コンベヤ３６左側端部の送り終端側に、穀粒排出コンベヤ８前端部の送り始端側を連結させる。脱穀部９底部の端面Ｖ字形状の穀粒取出樋２５に穀粒取出コンベヤ３６を内設させる。揺動選別盤２６と送風ファン３４の選別作用とにより、多孔板体２８とグレンシーブ２９から穀粒取出樋２５に漏下した穀粒は、穀粒取出コンベヤ３６左側端部から穀粒排出コンベヤ８前端部に移送され、穀粒排出コンベヤ８後端部の籾投入口８ａから籾受部６に移送され、籾受部６上の籾袋３７に収集されるように構成している。
【００４１】
即ち、籾受部６には、走行機体１右側後端部に台支持フレーム３８ａを介して連結させる籾受台３８と、走行機体１右側後端部にアーム支柱フレーム３９ａを介して取付ける籾受アーム体３９を設ける。また、アーム支柱フレーム３９ａの上端側に穀粒排出コンベヤ８後端部の送り終端側を支持させ、穀粒排出コンベヤ８後端部の送り終端側に籾投入口８ａを設けるものであり、籾受アーム体３９に籾袋３７を吊下げ、籾投入口８ａに籾袋３７の開口部を装着し、籾投入口８ａから排出される穀粒が籾袋３７内部に充填される。一方、揺動選別盤２６上面側の軽い藁屑等は、排塵口２３下面側の排塵流下板体２３ａ上面に向けて移動して、脱穀部９右側の排塵口２３から圃場に排出される。
【００４２】
穀粒排出コンベヤ（穀粒排出装置）８が脱穀部９左側に配置されており、脱穀部９から穀粒を受けて走行機体１の移動方向に沿って穀粒を機外に搬送する。また、刈取部３にエンジン７からの動力を伝達する刈取駆動部（刈取入力チェン８７及びヘッダー駆動チェン９０など）が、脱穀部９の左側に設けられている。穀物ヘッダー１２の両端部が、左右の履帯２それぞれの外側に張り出すとともに、穀物ヘッダー１２の左端部が脱穀部９の左端部よりも外側に張り出している。脱穀部９左側に設置された刈取入力カバー体１９３が、刈取入力チェン８７を内設するとともに、フィーダハウス１１左側に設置されたヘッダー駆動カバー体１９４が、ヘッダー駆動チェン９０を内設する。
【００４３】
穀粒排出コンベヤ８が、正面視において、脱穀部９の左側端部と穀物ヘッダー１２の左側端部との間となる位置に配置される。また、刈取入力チェン８７及びヘッダー駆動チェン９０などによる刈取駆動部が、平面視で穀粒排出コンベヤ８と脱穀部９との間となる位置に配置されている。したがって、圃場の未刈り穀稈が刈取駆動部や穀粒排出コンベヤ８などの駆動機構に巻き付くなどの不具合の発生を低減でき、圃場の未刈り穀稈に脱穀部９側方の駆動機構が干渉して損傷するのを防止できる。刈取駆動部と穀粒排出コンベヤ８を機外側部にコンパクトに組付けることができ、刈取駆動部及び穀粒排出コンベヤ８のメンテナンス性を向上できる。扱室２２入口側で脱粒される多量の穀粒を離れた排塵口２３側に移動させる必要がなく、脱粒された穀粒が脱穀部９内部に滞留する時間を簡単に短縮でき、機外に取出す穀粒に混在する藁屑量などを容易に低減できる。
【００４４】
一方、図４〜６に示す如く、運転操作部５には、操縦コラム４１を配置する。操縦コラム４１には、走行機体１の進路を変更する左右のサイドクラッチレバー４３，４４と、走行機体１の移動速度を切換える走行変速レバー４５と、刈取部３または脱穀部９を駆動または停止操作する作業クラッチレバー４６と、刈取部３を昇降操作する刈取昇降レバー４７と、駐車ブレーキレバー４８が配置されている。また、操縦コラム４１の後面側に歩行用ハンドル４９を後方に向けて突設させ、歩行用ハンドル４９の左側握り部にアクセルレバー４０を取付けている。運転座席４２にオペレータが座乗しない歩行作業で、オペレータが歩行用ハンドル４９を握りながら、圃場を歩行移動して、収穫作業を実行するように構成している。なお、操縦コラム４１の後方には、オペレータが座乗する運転座席４２を着脱可能に配置する（図７及び図８参照）。
【００４５】
収穫作業において操作頻度の低い作業クラッチレバー４６と刈取昇降レバー４７は、操縦コラム４１における上面高さまたはそれより低い左側位置または後側位置に配置される。作業クラッチレバー４６が歩行用ハンドル４９の外側に配置される一方、刈取昇降レバー４７が歩行用ハンドル４９の内側に配置されることで、オペレータは、収穫作業中に歩行用ハンドル４９を握りながら、作業クラッチレバー４６と刈取昇降レバー４７を容易に操作できるとともに、作業クラッチレバー４６と刈取昇降レバー４７の誤操作を低減できる。収穫作業において操作頻度の高いサイドクラッチレバー４３，４４と走行変速レバー４５は、操縦コラム４１における上面高位置に配置されるものであり、走行速度変更または進路変更などの運転操作性を向上できる。
【００４６】
サイドクラッチレバー４３，４４と走行変速レバー４５機体側方からの緊急操作が必要になる駐車ブレーキレバー４８は、操縦コラム４１右側の機外側面に配置されるものであり、歩み板などが必要になる移動作業（圃場に出入する作業、または運搬用トラック荷台に積み下ろす作業）などにおいて、操縦コラム４１上面右側に配置されたサイドクラッチレバー４３，４４と、駐車ブレーキレバー４８が、操縦コラム４１の右機外側方の圃場から緊急操作できる。
【００４７】
他方、図７〜図１０に示す如く、走行機体１の下面側に左右の前支脚体３２及び後支脚体３３を下向きに突設させ、走行機体１下面側に左右の各支脚体３２，３３を介して左右のトラックフレーム５０を配置している。トラックフレーム５０には、履帯２にエンジン７の動力を伝える駆動スプロケット５１と、履帯２のテンションを維持するテンション機構５３を介してテンションローラ５２と、履帯２の接地側を接地状態に保持する複数のトラッ履帯５４を設けている。前記テンションローラ５２によって履帯２の前側を支持させ、駆動スプロケット５１によって履帯２の後側を支持させ、トラッ履帯５４によって履帯２の接地側を水平姿勢に支持させ、履帯２の非接地側を前低後高姿勢に支持させるように構成している。
【００４８】
次に、図７〜図１２を参照してコンバインの駆動構造を説明する。図１２に示す如く、走行油圧ポンプ及び油圧モータが内蔵された走行変速用の油圧無段変速機６４をミッションケース６３に設ける。走行機体１の中央上面にエンジン７を搭載し、エンジン７後方の走行機体１後部にミッションケース６３を配置する。また、エンジン７から左側方に突出させた出力軸６５上の走行駆動プーリ６９と、ミッションケース６３から左側方に突出させた入力軸６６上の変速入力プーリ７０を、前側走行出力ベルト６７ａと後側走行出力ベルト６７ｂを介して連結する。
【００４９】
また、テンションローラ形の走行クラッチ６８にて前側走行出力ベルト６７ａを緊張させ、エンジン７からミッションケース６３に動力を伝達して、左右の履帯２を駆動するように構成している。なお、図５及び図９などに示す如く、変速入力プーリ７０左側の機外側面に入力プーリファン７０ａを固着し、入力プーリファン７０ａにて油圧無段変速機６４を空冷するように構成している。
【００５０】
加えて、走行機体１上に中間フレーム１３１を後傾姿勢に立設させ、中間フレーム１３１の上端側に中間軸１３２を介して左側中間プーリ１３３と右側中間プーリ１３４を一体的に回動可能に軸支し、走行駆動プーリ６９と左側中間プーリ１３３の間に走行クラッチ６８を介して前側走行出力ベルト６７ａを掛け回すと共に、右側中間プーリ１３４と変速入力プーリ７０の間に後側走行出力ベルト６７ｂを掛け回している。エンジン７後側のミッションケース６３を機体右側寄りに配置し、走行駆動プーリ６９の取付け位置に対して変速入力プーリ７０の取付け位置を走行機体１の中央寄りに形成する。
【００５１】
後側走行出力ベルト６７ｂ後端側の変速入力プーリ７０に支持された入力プーリファン７０ａは、後側走行出力ベルト６７ｂの後側方に配置される。左右幅広のエンジン７の後方で左右履帯２の間に、油圧無段変速機６４が一体的に上載固定されたミッションケース６３を設置でき、重量部品であるエンジン７とミッションケース６３を機体左右幅中央部に支持して、機体の左右方向の重量バランスを良好に形成している。
【００５２】
図７〜図１２に示す如く、刈取部３と扱胴２１を駆動するためのカウンタ軸７２を備える。左側軸受体７１ａと右側軸受体７１ｂを介して走行機体１上面側にカウンタ軸７２を回転自在に設ける。エンジン７から左側方に突出させた出力軸６５上の脱穀駆動プーリ５７と、カウンタ軸７２左側端部のカウンタ軸プーリ５８を、脱穀駆動ベルト５９を介して連結する。テンションローラ形の作業クラッチ６０にて脱穀駆動ベルト５９を緊張させ、エンジン７からカウンタ軸７２に動力を伝達させる。
【００５３】
また、カウンタ軸７２右側端部にカウンタ軸スプロケット７３と穀粒送出スプロケット７６を軸支する。カウンタ軸スプロケット７３と、扱胴軸２０右側端部の扱胴軸入力スプロケット７４を、脱穀駆動チェン７５にて連結し、カウンタ軸７２を介して扱胴２１を駆動するように構成している。また、穀粒送出スプロケット７６と、穀粒取出コンベヤ３６右側端部の送出入力スプロケット７７を、送出駆動チェン７８にて連結し、カウンタ軸７２を介して穀粒取出コンベヤ３６を駆動するように構成している。
【００５４】
加えて、穀粒取出コンベヤ３６左側端部にベベルギヤ機構７９を介して穀粒排出コンベヤ８の送り始端側を連結し、穀粒取出コンベヤ３６と穀粒排出コンベヤ８を連動して駆動するように構成している。また、穀粒取出コンベヤ３６における穀粒取出コンベヤ軸３６ａ右側端部に揺動入力スプロケット１３５を設け、揺動入力スプロケット１３５に揺動入力チェン１３６を介して揺動入力軸１３７上の揺動駆動スプロケット８０を連結し、揺動入力軸１３７にベベルギヤ機構８１を介して揺動選別盤２６の揺動駆動軸３１を連結し、穀粒取出コンベヤ軸３６ａを介して揺動選別盤２６を上下左右に揺動駆動するように構成している。
【００５５】
一方、扱胴軸２０左側端部のファン駆動スプロケット８２と、送風ファン３４軸上の送風ファンスプロケット８３を、ファン駆動チェン８４にて連結し、扱胴２１と送風ファン３４を連動して駆動するように構成している。操縦コラム４１の左側部に配置した作業クラッチレバー４６の作業クラッチ６０入り操作にて、脱穀部９の各部（扱胴２１、各コンベヤ８，３６、揺動選別盤２６、送風ファン３４）を定速回転数にて駆動している。
【００５６】
次いで、図１〜図３、図１２を参照して刈取部３の駆動構造を説明する。図１〜図３、図１２に示す如く、扱胴軸２０左側端部に設ける扱胴軸出力スプロケット８５と、刈取部３の昇降支点である刈取入力軸１８左側端部に設ける刈取入力スプロケット８６を、刈取入力チェン８７にて連結する。刈取部３全体を昇降動可能に支持する刈取入力軸１８を介して、扱胴２１と供給コンベヤ１７を連動して駆動するように構成している。前記刈取部３の穀物ヘッダー１２左側部の後面側に一対のヘッダー駆動軸受体１４１を介してヘッダー駆動軸９１を設ける。ヘッダー駆動軸９１の右側端部に、ヘッダー駆動スプロケット８８，８９及びヘッダー駆動チェン９０を介して刈取入力軸１８の左側端部を連結している。
【００５７】
なお、穀物ヘッダー１２左側部の後面側に一対のヘッダー駆動軸受体１４１をボルト締結している。また、穀物ヘッダー１２に掻込みオーガ１３を軸支する掻込み軸９３を備える。掻込み軸９３の左側端部に、掻込み駆動チェン９２及び掻込み駆動スプロケット９４，９５を介してヘッダー駆動軸９１の左側端部を連結する。刈取入力軸１８とヘッダー駆動軸９１を介して掻込みオーガ１３を駆動するように構成している。
【００５８】
さらに、図１〜図３、図１２に示す如く、穀物ヘッダー１２上面の左右のリール昇降支点ブラケット部に左右のリール昇降支点軸１５３を設ける。穀物ヘッダー１２上面の左右端部にリール昇降支点軸１５３を介して昇降支持フレーム１５１基端部を回動可能に軸支する。また、掻込みリール１４を軸支するリール軸９６を備え、左右の昇降支持フレーム１５１先端部にリール軸９６の左右端部を回動可能に軸支する。穀物ヘッダー１２の上面側に左右の昇降支持フレーム１５１を介して掻込みリール１４を昇降動可能に配置している。
【００５９】
加えて、穀物ヘッダー１２の左右側面に左右の昇降支持フレーム１５１の中間部を支持する伸縮可能な支持高さ調節アーム１５５を備え、支持高さ調節アーム１５５を多段的に伸縮させて、掻込みリール１４の支持高さを多段階に変更可能に構成している。なお、支持高さ調節アーム１５５を油圧シリンダにて形成し、前記油圧シリンダの油圧力にて掻込みリール１４の支持高さを無段階に変更することも可能である。
【００６０】
さらに、左側のリール昇降支点軸１５３の左端側を左側機外方向に延設させ、左側のリール昇降支点軸１５３の左側部に、リール駆動スプロケット９８とリール駆動プーリ１６１を遊転軸支している。なお、リール駆動スプロケット９８の左側面とリール駆動プーリ１６１の右側面を一体的に圧着させてボルト締結する。左側のリール昇降支点軸１５３の中間部に、リール駆動スプロケット９８とリール駆動プーリ１６１をボールベヤリング軸受にて回動可能に支持している。
【００６１】
図１〜図３、図１２に示す如く、ヘッダー駆動軸９１の左側端部に設けたリール入力スプロケット９９とリール駆動スプロケット９８にリール駆動チェン９７を掛け回す。リール軸９６の左側端部に設けたリール従動プーリ１６３とリール駆動プーリ１６１にリール駆動ベルト１６４を掛け回す。リール駆動テンションアーム１６５先端部にリール駆動テンションプーリ１６６を回動可能に軸支させる。リール駆動チェン９７とリール駆動ベルト１６４を介して、ヘッダー駆動軸９１にリール軸９６を連動連結している。なお、リール駆動ベルト１６４にリール駆動テンションプーリ１６６をリール駆動テンションバネ力にて弾圧させ、リール駆動テンションプーリ１６６にてリール駆動ベルト１６４を緊張支持している。
【００６２】
また、リール駆動テンションアーム１６５基端側に左側のリール昇降支点軸１５３の機外側端部を貫通させ、一体的なリール駆動スプロケット９８とリール駆動プーリ１６１、またはリール駆動テンションアーム１６５を、左側のリール昇降支点軸１５３の左端側に着脱可能に構成している。なお、刈取部３左側のチェンカバー体１６９にリール駆動チェン９７を内設すると共に、刈取部３左側のベルトカバー体１７０にリール駆動ベルト１６４を内設する（図１９参照）。
【００６３】
さらに、掻込み軸９３の右側端部には、刈刃駆動クランク機構１００を介して刈刃１５が連結されている。作業クラッチレバー４６の作業クラッチ６０入り操作にて、刈取部３の各部（供給コンベヤ１７と、掻込みオーガ１３と、掻込みリール１４と、刈刃１５）が駆動されて、圃場の未刈り穀稈の穂先側を連続的に刈取るように構成している。なお、刈取部３右側の刈刃駆動カバー体１７１に刈刃駆動クランク機構１００を内設する（図１９参照）。また、稈元切断刃１９を設ける構造では、刈取入力軸１８の右側端部に、稈元切断チェン１０１及びスプロケット１０２，１０３を介して稈元切断軸１０４を連結させ、走行機体１前端部に支持された稈元切断軸１０４に稈元切断クランク機構１０５を介して稈元切断刃１９を連結させ、圃場の穀稈の穂先側が刈刃１５にて切断された後、続いて圃場の穀稈の株元側が稈元切断刃１９にて切断され、圃場に残存する穀稈の切り株が短尺になるように構成している。
【００６４】
次いで、図４〜図１１を参照して、走行機体１の構造を説明する。図４〜図１１に示す如く、下部機体フレーム１ａと上部機体フレーム１ｂと支柱フレーム１ｃにて走行機体１を上下多段の櫓構造に構成している。下部機体フレーム１ａの下面側に左右のトラックフレーム５０を介して左右の履帯２を装設する。また、上部機体フレーム１ｂ上面の搭載部にエンジン７下面を連結し、上部機体フレーム１ｂにエンジン７を搭載するものであり、エンジン７は、運転操作部５と籾受部６の間に配置される。
【００６５】
即ち、走行機体１の左右幅中央部にエンジン７が配置されると共に、エンジン７を中心に、エンジン７右側方の上部機体フレーム１ｂ後部に運転操作部５が配置され、エンジン７左側方の上部機体フレーム１ｂ後部に籾受部６が配置されるものであり、走行機体１の後方右側に運転操作部５が配置され、走行機体１の後方左側に籾受部６が配置される。エンジン７が搭載された上部機体フレーム１ｂの右側上面にバッテリ５６を配置し、エンジン７の始動電源などにバッテリ５６を利用する。
【００６６】
一方、上部機体フレーム１ｂ前端側よりも前方に下部機体フレーム１ａ前端側を延設し、下部機体フレーム１ａの前端側上面に脱穀部９を載置する。脱穀部９後方側の上部機体フレーム１ｂ上面にエンジン７を設置し、脱穀部９上面高さとエンジン７上面高さを一致させて略同一高さに形成している。上部機体フレーム１ｂと略同一高さ位置に穀粒選別機構１０の揺動選別盤２６を支持させ、エンジン７の設置面（上部機体フレーム１ｂ上面）よりも脱穀部９の設置面（下部機体フレーム１ａ上面）を低く形成し、走行機体１の低い位置に脱穀部９の刈取穀稈入口（扱口供給板９ａ）を配置可能に構成している。また、下部機体フレーム１ａの前端部に昇降用油圧シリンダ４を取付けると共に、上部機体フレーム１ｂ前端部（脱穀部９後面）と下部機体フレーム１ａの間に作動油タンク５５を配置し、昇降用油圧シリンダ４などの作動油を作動油タンク５５に貯蔵する。
【００６７】
他方、左右のトラックフレーム５０後端に下部機体フレーム１ａの後端を左右の後支脚体３３にて連結し、左右の後支脚体３３の上端側を下部機体フレーム１ａの後方上方に向けて延設させ、左右の後支脚体３３の上端側にミッションケース６３両側の左右車軸ケース６３ａを着脱可能に支持すると共に、下部機体フレーム１ａの後端側よりも後方に上部機体フレーム１ｂの後端側を延設し、上部機体フレーム１ｂの後端側に上部連結体６２を介してミッションケース６３の上端側を着脱可能に支持するものであり、後支脚体３３の上端側と上部機体フレーム１ｂの後端側にミッションケース６３を後傾姿勢に配置している。
【００６８】
ミッションケース６３下端側の左右車軸ケース６３ａに左右駆動スプロケット５１を介して左右履帯２の後端部を張設させている。即ち、後支脚体３３の上端側に駆動スプロケット５１を支持し、トラックフレーム５０前端部のテンションローラ５２と後支脚体３３上端側の駆動スプロケット５１の間に履帯２の非接地側を張設し、履帯２の非接地側を前下がりに傾斜させた前低後高姿勢に支持している。
【００６９】
一方、図５、図７〜図１１、図１３〜図１６に示す如く、上部機体フレーム１ｂの右側後端部と左側の車軸ケース６３ａに両端側をボルト締結させるミッション保護フレーム１１６を備え、ミッションケース６３の後側をミッション保護フレーム１１６にて囲むと共に、ミッション保護フレーム１１６にミッション保護カバー１１７を取付け、ミッションケース６３上部の油圧無段変速機６４上方側をミッション保護カバー１１７にて覆うように構成している。
【００７０】
図７〜図１１、図１３〜図１６、図１９、図２３〜図２５を参照して、カウンタ軸７２の取付け構造を説明する。図７〜図１１に示す如く、走行機体１のうち上部機体フレーム１ｂ前部の左右端部に左右の軸受ブラケット体１４３，１４４を一体的に溶接固定し、左の軸受ブラケット体１４３に左側軸受体７１ａをボルト締結し、右の軸受ブラケット体１４４に右側軸受体７１ｂをボルト締結し、左右方向に延設させた前部の上部機体フレーム１ｂの上方にカウンタ軸７２を水平姿勢に架設している。
【００７１】
また、図１３〜図１６、図１９、図２３〜図２５に示す如く、上部機体フレーム１ｂの左側上面に送風ファン支持フレーム１４５と送風ファン支持側板体１４６を立設させ、送風ファン支持フレーム１４５と送風ファン支持側板体１４６を連結固定し、送風ファン支持側板体１４６の左側面に送風ファン３４のファンケース部３４ａを固着し、エンジン７左側の前部に送風ファン３４を配設している。送風ファンダクト３５が、ファンケース部３４ａの下側前方に固着され、脱穀部９に向かって前方へ延設されている。送風ファンダクト３５の排風口３５ａが、穀粒排出コンベヤ８の入口よりも上方に設置されており、送風ファンダクト３５は、脱穀部９との接続部分から後方に向かって延設された後、後方部分を上方に屈曲して、ファンケース部３４ａと連結している。
【００７２】
加えて、送風ファン支持フレーム１４５に脱穀テンションアーム１４７基端側を取付け、前方に延設した脱穀テンションアーム１４７先端側に作業クラッチ６０を配置し、作業クラッチ６０を介して脱穀駆動ベルト５９を張設し、エンジン７の出力軸６５にカウンタ軸７２を連結させている。また、中間フレーム１３１にテンションアーム軸１４８を設け、走行クラッチ６８が支持された走行テンションアーム１４９と、走行出力用のテンションプーリ１８１が支持された出力テンションアーム１８２を、テンションアーム軸１４８を介して中間フレーム１３１に支持させている。
【００７３】
一方、図１３、図１４、図１６、図２３〜図２５に示す如く、脱穀駆動ベルト５９と、前側走行出力ベルト６７ａと、後側走行出力ベルト６７ｂが配置されたエンジン７の左側にベルトカバー体１８３を張設させている。即ち、送風ファン支持フレーム１４５の前側に送風ファン支持側板体１４６を立設し、送風ファン支持フレーム１４５の後側にベルトカバー体１８３の左側壁部を立設すると共に、前記各ベルト５９，６７ａ，６７ｂの上面側に沿ってベルトカバー体１８３の上面壁部を前後方向に延設させるものであり、エンジン７の左側で前後方向に延設させる脱穀駆動ベルト５９と、前側走行出力ベルト６７ａと、後側走行出力ベルト６７ｂのそれぞれの上面側と左側面側が、送風ファン支持側板体１４６とベルトカバー体１８３の左側壁部及び上面壁部にて閉塞されるように構成している。
【００７４】
上記の構成により、送風ファン支持側板体１４６に形成された外気取込み口１４６ａから送風ファン３４に外気を吸入するから、送風ファン支持側板体１４６とベルトカバー体１８３にて覆われた前記各ベルト５９，６７ａ，６７ｂ設置空間の外気が外気取込み口１４６ａを介して送風ファン３４に吸入されるものであり、送風ファン支持側板体１４６とベルトカバー体１８３の下面側開口部（上部機体フレーム１ｂ設置部またはエンジン７載置部の付近）における藁屑が比較的少ない場所から、送風ファン支持側板体１４６とベルトカバー体１８３にて覆われた空間内部に外気が吸込まれ、その空間内部の外気を外気取込み口１４６ａから送風ファン３４に吸入できる。したがって、藁屑などの粉塵が比較的少ない空気を選別風として送風ファン３４から揺動選別盤２６に供給できる。
【００７５】
脱穀部９左側及びファンケース部３４ａ左側に固定されたファン駆動カバー体１９５が、ファン駆動部となるファン駆動チェン８４を内設している。ファン駆動カバー体１９５の一部が切り欠かれており、当該切欠き部分がファン駆動カバー体１９５左側に設置された穀粒排出コンベヤ８で覆われている。ファン駆動カバー体１９５が、送風ファンダクト３５よりも高い位置で前後方向に延設されている。したがって、ファン駆動カバー体１９５の着脱を容易に行うことができ、ファン駆動部のメンテナンス性を向上できる。
【００７６】
図１３、図１４などに示す如く、上部機体フレーム１ｂにおけるアーム支柱フレーム３９ａ立設部に台支持フレーム３８ａの前端側を支持させる。左側の履帯２の後側方に台支持フレーム３８ａを延設させ、台支持フレーム３８ａの前端側に籾受仕切り体１１８を設けている。左側の履帯２の後側と籾受部６の前側の間を籾受仕切り体１１８にて遮蔽する。また、台支持フレーム３８ａの後端側に籾受台３８を設ける。例えば、籾受アーム体３９に籾袋３７を装着し、その籾袋３７を籾受台３８上に載置し、その籾袋３７に穀粒を収集する収穫作業の状況下において、籾受台３８上の籾袋３７に向けて左側の履帯２の後側から圃場の泥土が飛散するのを仕切り体１１８にて防止できると共に、籾受台３８上の籾袋３７が左側の履帯２の後側などに接触するのを籾受仕切り体１１８にて阻止できる。なお、籾袋３７の形状などに対応させて、台支持フレーム３８ａに籾受台３８を高さ調節可能に支持することも行える。
【００７７】
さらに、図４〜図６、図１３などに示す如く、ミッション保護カバー１１７と、籾受仕切り体１１８右側部と、ベルトカバー体１８３後部にて、ミッションケース６３後側を覆う。籾受仕切り体１１８左側部にて覆う左側履帯２の後部とミッションケース６３後側に亘って籾受台３８を横架させ、二又形状に分岐させた左右の籾投入口８ａを籾受台３８上方に配置し、左右の籾投入口８ａに籾袋３７を交互に装着し、一方（左の籾投入口８ａ）から籾袋３７に籾を充填完了したときに、操縦コラム４１方向に突出させた投入切換レバー１８５の操作部を操作して、左右の籾投入口８ａ基端部の投入切換シャッタ１８６を切換え、他方（右の籾投入口８ａ）から籾袋３７に籾を充填するように構成している。
【００７８】
なお、籾が充填された籾袋３７を圃場に落下させ、籾投入口８ａに空の籾袋３７を装着する作業と、投入切換レバー１８５の投入切換シャッタ１８６切換え操作にて、穀粒排出コンベヤ８から連続して搬出される籾（穀粒）を、複数の籾袋３７に充填する。また、籾投入口８ａの下面側から操縦コラム４１方向に投入切換レバー１８５を突出させ、籾投入口８ａの上面側から後方上方に向けてインジケータアーム１８７を突出させ、投入切換レバー１８５と投入切換シャッタ１８６とインジケータアーム１８７を一体的に連結させ、投入切換シャッタ１８６の切換方向を確認しながら、運転座席４２側のオペレータにて投入切換レバー１８５を操作して、投入切換シャッタ１８６を切換えるように構成している。
【００７９】
次いで、図１９〜図２２を参照して、穀稈移送体としての扱室入口リード弁３１１の取付け構造を説明する。図１９〜図２２に示す如く、脱穀部９の左側前面側に扱口供給板９ａを設け、脱穀部９左側前面側の扱口９ｂにフィーダハウス１１の後端側を臨ませ、フィーダハウス１１の後端側から扱口９ｂを介して扱室２２内部に刈取部３の刈取り穀稈を供給するものであり、扱胴２１が内設された扱室２２にフィーダハウス１１の搬送出口から刈取穀稈を供給する構造であって、フィーダハウス１１から刈取穀稈が投入される扱室２２の扱口９ｂ底部に穀稈移送体としての扱室入口リード弁３１１を設け、扱胴２１が内設された扱室２２にフィーダハウス１１の搬送出口から扱口９ｂ底部に刈取穀稈を供給されたとき、扱口９ｂ底部の刈取穀稈を排塵口２３側に向けて扱室入口リード弁３１１にて移動案内するように構成している。
【００８０】
即ち、脱穀部９の左側端部にフィーダハウス１１を配置し、フィーダハウス１１と反対側の脱穀部９の右側端部に排塵口２３を形成すると共に、扱室２２の底部に受網２４を張設して、扱胴２１にて脱粒した穀粒を受網２４下方に漏下させるものであり、フィーダハウス１１から刈取穀稈が投入される扱室２２左側端部の扱口９ｂに対向した受網２４左側端部の上面に扱室入口リード弁３１１を着脱可能にボルト３１２締結し、フィーダハウス１１の搬送出口または扱口９ｂなどの付近に滞留する刈取穀稈量を低減するように構成している。
【００８１】
さらに、扱胴２１を走行機体１の左右方向横向きに横架させ、扱室２２下方に配置する穀粒取出コンベヤ３６を左右方向横向きに横架させ、走行機体１右側の排塵口２３側に穀粒取出コンベヤ３６の送り始端側を配置する一方、走行機体１左側に穀粒取出コンベヤ３６の送り終端側を配置し、穀粒取出コンベヤ３６の送り終端側に穀粒排出コンベヤ８の送り始端部を連結している。即ち、左右向きに搭載された横置き姿勢の脱穀部９の一側端部にフィーダハウス１１と穀粒排出コンベヤ８が配置され、扱胴２１が内設された扱室２２下方に穀粒取出コンベヤ３６が左右向きに配置される。
【００８２】
上記の構成により、フィーダハウス１１設置部（機体左側部）と反対側の脱穀部９他側部（機体右側部）の排塵口２３から、扱室２２内部の藁屑が機外に排出されると共に、フィーダハウス１１設置部側の脱穀部９一側部（機体左側部）の刈取穀稈投入側から、受網２４の機体左側部から漏下した穀粒が、穀粒取出コンベヤ３６にて機外の穀粒排出コンベヤ８に向けて取出される。
【００８３】
したがって、フィーダハウス１１設置部側（扱室２２入口側）で多くの穀粒が脱粒され、扱室２２入口側の受網２４下方に多量の穀粒が漏下する脱穀作業において、排塵口２３側から機外に穀粒を取出す構造に比べ、扱室２２の入口側（扱口９ｂ近傍）で脱粒される多量の穀粒を、機体左側部の扱口９ｂから離れた機体右側部の排塵口２３側に移動させる必要がないから、扱胴２１にて脱粒された穀粒が、脱穀部９内部に滞留する時間を短縮できる。また、排塵口２３側に比べて扱口９ｂ側の穀粒に混在する藁屑量または粉塵量が少ないから、穀粒取出コンベヤ３６の穀粒搬送効率を向上できると共に、穀粒取出コンベヤ３６の送り終端側から送り始端側に向けて送風ファン３４の選別風が供給されるから、排塵口２３側から扱口９ｂ側に搬送される途中で軽い藁屑または粉塵などは、送風ファン３４の選別風にて藁屑または粉塵などが排塵口２３から機体右側外方に排出されやすく、穀粒取出コンベヤ３６の送り終端側から機体左側外方に取出される穀粒に混在する藁屑量または粉塵量などを低減できる。
【００８４】
図２６、図２７に示す如く、オペレータが座乗して運転する場合、運転座席４２を操縦コラム４１の後方位置に取り付ける。上部機体フレーム１ｂの右側後端部に運転席ブラケット体１１１を設け、運転席ブラケット体１１１に運転席フレーム１１２の前端部を着脱可能にボルト締結している。また、上部機体フレーム１ｂの右側後端から後方に向けて運転席フレーム１１２の後端側を略水平に延設し、運転席フレーム１１２の後端部に運転座席４２を取付け、運転席フレーム１１２を介して運転操作部５後方に運転座席４２を配置し、運転座席４２に座乗したオペレータ（図２７の仮想線に示す）が、運転操作部５の各レバー４３，４４，４５，４６，４７，４８等を操作可能に構成している。
【００８５】
また、運転座席４２に座乗するオペレータの足元と右の履帯２後端部の間に配置する足元ガード体１１４を備える。運転席フレーム１１２の前後幅中間部から下方に向けてガード体支持フレーム１１５を延設し、ガード体支持フレーム１１５に足元ガード体１１４を着脱可能に固定している。履帯２による圃場からの泥がオペレータの足下にかかることを足元ガード体１１４にて防止できるとともに、オペレータの足元が右の履帯２に接触するのを足元ガード体１１４にて阻止できる。加えて、ガード体支持フレーム１１５の下端部に足載せフレーム１１３を固着し、運転座席４２に座乗したオペレータが足を足載せフレーム１１３に載せると共に、運転席フレーム１１２に高さ調節フレーム１１０を介してガード体支持フレーム１１５の上端側を昇降可能にボルト連結している。
【符号の説明】
【００８６】
１  走行機体
２  履帯（走行部）
３  刈取部
７  エンジン
８  穀粒排出コンベヤ
９  脱穀部
９ｂ  扱口
１１  フィーダハウス
１２  穀物ヘッダー
１５  刈刃
２１  扱胴
２２  扱室
２３  排塵口
２３ａ  排塵流下板体
２３ｂ  排塵ガイド部
３４  送風ファン
３４ａ  ファンケース部
３５  送風ファンダクト
３５ａ  排風口
３５ｂ  風向ガイド板体
３５ｃ  風向ガイド板体
３５ｄ  風向ガイド板体
３６  穀粒取出コンベヤ
１９１  扱胴駆動カバー体
１９２  選別駆動カバー体
１９３  刈取入力カバー体
１９４  ヘッダー駆動カバー体
１９５  ファン駆動カバー体
【図１】
0006470195.tif 000002
【図２】
0006470195.tif 000003
【図３】
0006470195.tif 000004
【図４】
0006470195.tif 000005
【図５】
0006470195.tif 000006
【図６】
0006470195.tif 000007
【図７】
0006470195.tif 000008
【図８】
0006470195.tif 000009
【図９】
0006470195.tif 000010
【図１０】
0006470195.tif 000011
【図１１】
0006470195.tif 000012
【図１２】
0006470195.tif 000013
【図１３】
0006470195.tif 000014
【図１４】
0006470195.tif 000015
【図１５】
0006470195.tif 000016
【図１６】
0006470195.tif 000017
【図１７】
0006470195.tif 000018
【図１８】
0006470195.tif 000019
【図１９】
0006470195.tif 000020
【図２０】
0006470195.tif 000021
【図２１】
0006470195.tif 000022
【図２２】
0006470195.tif 000023
【図２３】
0006470195.tif 000024
【図２４】
0006470195.tif 000025
【図２５】
0006470195.tif 000026
【図２６】
0006470195.tif 000027
【図２７】
0006470195.tif 000028